(57)【要約】【課題】一斉にデータ送信する前にプレビュー表示が可能な表示システムを提供する。【解決手段】表示システムは、各々が表示装置と接続される複数の受信機と、複数の受信機のうちの少なくとも１つの受信機と通信可能に設けられた端末と、端末と通信可能に接続され、複数の受信機で受信可能な放送波信号を送信する送信機とを備える。端末は、表示データを格納する記憶部と、通信可能な少なくとも１つの受信機に対して、接続される表示装置で記憶部に格納されている表示データをプレビュー表示するように送信するプレビュー制御部と、プレビュー表示後に、選択的に送信機に対して表示データを送信する送信部とを含む。送信機は、端末から送信された表示データを放送波信号に重畳して送信する。【選択図】図２
2015207907.tif 000002
【特許請求の範囲】
【請求項１】
各々が表示装置と接続される複数の受信機と、
前記複数の受信機のうちの少なくとも１つの受信機と通信可能に設けられた端末と、
前記端末と通信可能に接続され、前記複数の受信機で受信可能な放送波信号を送信する送信機とを備え、
前記端末は、
表示データを格納する記憶部と、
通信可能な前記少なくとも１つの受信機に対して、接続される表示装置で前記記憶部に格納されている表示データをプレビュー表示するように送信するプレビュー制御部と、
プレビュー表示後に、選択的に前記送信機に対して前記表示データを送信する送信部とを含み、
前記送信機は、前記端末から送信された表示データを前記放送波信号に重畳して送信する、表示システム。
【請求項２】
前記記憶部は、複数の表示データを格納し、
前記プレビュー制御部は、前記複数の表示データの中から選択された表示データをプレビュー表示するように送信する、請求項１記載の表示システム。
【請求項３】
各前記受信機は、
前記送信機から送信される前記放送波信号を受信して放送波受信部と、
前記端末との間でデータの授受を実行する通信部とを含む、請求項１または２記載の表示システム。
【請求項４】
前記プレビュー制御部は、前記端末と無線通信可能な通信部を有する受信機を探索し、
前記端末は、探索された受信機の中からプレビュー表示する受信機を選択する選択部をさらに含む、請求項３記載の表示システム。
【発明の詳細な説明】
【技術分野】
【０００１】
本発明は、放送波信号に重畳されたデータを表示する表示システムに関する。
【背景技術】
【０００２】
コンテンツを流通させるための新たなサービスとして、ＩＰＤＣ（Internet Protocol Data Cast）が注目されている。ＩＰＤＣは、ＩＰ（Internet Protocol）パケットの形式のデータ（Data）をデジタル放送波に重畳させて送信（Cast）することで、コンテンツを一斉に配信する技術である（例えば、特許文献１を参照）。
【０００３】
この点で、デジタル放送波を受信する受信機は、ＩＰパケットのデータに基づいてコンテンツの出力表示等の制御を実行する。
【先行技術文献】
【特許文献】
【０００４】
【特許文献１】特開２０１４−０２３１１１号公報
【発明の概要】
【発明が解決しようとする課題】
【０００５】
一方で、上記におけるＩＰＤＣは、一斉にコンテンツを送信する技術であるため配信前に、コンテンツの出力表示を確認して確認結果に基づいて送信することが望ましい。
【０００６】
本発明は、上記の課題を解決するためになされたものであって、一斉にデータ送信する前にプレビュー表示が可能な表示システムを提供することを目的とする。
【課題を解決するための手段】
【０００７】
ある局面に従う表示システムは、各々が表示装置と接続される複数の受信機と、複数の受信機のうちの少なくとも１つの受信機と通信可能に設けられた端末と、端末と通信可能に接続され、複数の受信機で受信可能な放送波信号を送信する送信機とを備える。端末は、表示データを格納する記憶部と、通信可能な少なくとも１つの受信機に対して、接続される表示装置で記憶部に格納されている表示データをプレビュー表示するように送信するプレビュー制御部と、プレビュー表示後に、選択的に送信機に対して表示データを送信する送信部とを含む。送信機は、端末から送信された表示データを放送波信号に重畳して送信する。
【０００８】
好ましくは、記憶部は、複数の表示データを格納し、プレビュー制御部は、複数の表示データの中から選択された表示データをプレビュー表示するように送信する。
【０００９】
好ましくは、各受信機は、送信機から送信される放送波信号を受信して放送波受信部と、端末との間でデータの授受を実行する通信部とを含む。
【００１０】
好ましくは、プレビュー制御部は、端末と無線通信可能な通信部を有する受信機を探索し、端末は、探索された受信機の中からプレビュー表示する受信機を選択する選択部をさらに含む。
【発明の効果】
【００１１】
本発明の表示システムにより、一斉にデータ送信する前にプレビュー表示を実行することが可能である。
【図面の簡単な説明】
【００１２】
【図１】実施形態に基づく表示システム１の構成を示す図である。
【図２】実施形態に基づく表示システム１における各装置の機能ブロック図である。
【図３】プレビュー表示の処理の概要を説明する図である。
【図４】本実施形態に基づくプレビュー表示制御処理について説明するフロー図である。
【図５】本実施形態に基づくプレビュー表示制御処理における端末３０で表示される画面の一例を説明する図である。
【図６】本実施形態の変形例に基づく表示システム１＃の構成を示す図である。
【発明を実施するための形態】
【００１３】
以下、本実施形態について図面を参照して説明する。
図１は、実施形態に基づく表示システム１の構成を示す図である。
【００１４】
図１に示されるように、表示システム１は、デジタル放送波信号を送信するための送信機１０と、送信機１０と接続される端末３０と、デジタル放送波信号を受信する受信機１００Ａ，１００Ｂと、受信機１００Ａ，１００Ｂ（以下、総称して受信機１００とも称する）とそれぞれ接続される表示装置２００Ａ，２００Ｂ（以下、総称して表示装置２００とも称する）とを含む。
【００１５】
端末３０は、ネットワークを介して送信機１０と通信接続可能に設けられているものとする。端末３０は、一例として送信機１０からデジタル放送波信号に重畳して送信する表示データを送信機１０に出力する。
【００１６】
送信機１０は、例えば放送局等に設置されている。また、受信機１００は、テナントや家庭内に設けられている。本例においては、一例として複数の受信機１００が分散的に配置されている場合について説明するが、特に当該場合に限られず集約されて配置する構成とすることも可能である。また、受信機１００と表示装置２００とが１対１の関係で接続されている場合について説明するが、複数の表示装置が接続される構成としても良い。
【００１７】
また、受信機１００と表示装置２００とについては、有線で接続されていてもよいし、無線で接続されていても良い。また受信機１００と表示装置２００との間にデータを中継する中継装置が含まれる構成としても良い。
【００１８】
送信機１０には、デジタル放送波信号を送信するための送信アンテナ１２が設けられている。
【００１９】
受信機１００には、デジタル放送波信号を受信するための受信アンテナ１０２が設けられている。
【００２０】
送信機１０は、放送データおよび端末３０からの表示データをデジタル放送波信号として送信アンテナ１２から出力する。放送データは、放送局内において映像、音声等のデータを含む図示しない放送データ生成装置により生成されたものである。端末３０は、一例として表示装置２００で表示するための表示データ（情報）を格納している。
【００２１】
受信機１００は、送信アンテナ１２から出力されるデジタル放送波信号を受信して、当該受信した内容を表示装置２００に出力する。
【００２２】
受信機１００は、端末３０と無線通信可能に設けられており、端末３０から送信された表示データを受信して表示装置２００に出力する。
【００２３】
表示装置２００は、受信機１００からの表示データに従って表示する。
＜機能ブロック図＞
図２は、実施形態に基づく表示システム１における各装置の機能ブロック図である。
【００２４】
図２に示されるように、送信機１０は、送信アンテナ１２と、データ作成部１４と、ＴＳ変換部１５と、混合部１６と、ネットワーク通信部１７と、ＯＦＤＭ変調部１８とを含む。
【００２５】
データ作成部１４は、端末３０からの表示データを所定のプロトコルに従ってＩＰ（Internet Protocol）パケットデータとして作成する。
【００２６】
ＴＳ変換部１５は、データ作成部１４で作成したＩＰパケットデータをＩＳＤＢ−Ｔ方式の放送データと同じ形式のＴＳ信号に変換する。
【００２７】
混合部１６は、データ作成部１４から出力されるＩＰパケットデータと、放送データとを混合して出力する。
【００２８】
ＯＦＤＭ変調部１８は、混合したデータをデジタル変調して送信アンテナ１２から出力する。
【００２９】
たとえば放送プロトコルとしては、ＭＰＥＧ（Moving Picture Expert Group）２ ＴＳ（トランスポートストリーム）が使用される。ＴＳは、ＯＦＤＭ（Orthogonal Frequency Division Multiplexing）変調部１８にて多重化されるとともにデジタル変調されてデジタル放送波信号として送出される。なお、ＴＳ信号の構成、ならびに、ＯＦＤＭ変調部１８による多重化およびデジタル変調は、公知であるのでその詳細な説明はここでは繰り返さない。
【００３０】
放送データとともに、任意のアプリケーションあるいはコンテンツ（たとえば画像、音声あるいは文字）のデータが、ＩＰパケットデータとして送信される。これにより、いわゆるＩＰＤＣ（IP Data Cast）が行なわれる。
【００３１】
受信機１００は、ＯＦＤＭ復調部１０４と、受信アンテナ１０２と、無線通信用アンテナ１０３と、無線通信部１０５と、表示データ作成部１０６と、データ抽出部１０７と、ＴＳ／ＩＰ変換部１０８と、出力部１０９とを含む。
【００３２】
出力部１０９は、表示装置２００と接続される。
ＯＦＤＭ復調部１０４は、受信アンテナ１０２を介してデジタル放送波信号を受信するとともに、デジタル復調したＴＳ信号を取得する。
【００３３】
ＴＳ／ＩＰ変換部１０８は、デジタル復調したＴＳ信号をＩＰパケットデータに変換する。
【００３４】
データ抽出部１０７は、変換したＩＰパケットデータを抽出して表示データ作成部１０６に出力する。
【００３５】
表示データ作成部１０６は、ＩＰパケットデータから表示データを作成して出力部１０９に出力する。
【００３６】
出力部１０９は、表示データ作成部１０６で作成した表示データに基づく表示処理が実行されるように表示装置２００に出力する。
【００３７】
無線通信部１０５は、端末３０との間で無線通信用アンテナ１０３を介して無線通信によりデータの授受を実行する。一例として無線通信部１０５は、端末３０との間で近距離無線によるデータ通信を実行する。無線通信部１０５は、端末３０からの通信可能な受信機１００の探索要求に対して応答するとともに、受信機１００と接続されている表示装置２００に関する情報も出力する。
【００３８】
端末３０は、プレビュー制御部３１と、無線通信用アンテナ３２と、無線通信部３３と、操作部３４と、記憶部３５と、表示部３６と、ネットワーク通信部３７とを含む。
【００３９】
プレビュー制御部３１は、表示データのプレビュー処理を実行するための制御を実行する。例えば、ＣＰＵが記憶部３５に格納されている所定のプログラムをロードすることにより当該機能を実現することが可能である。
【００４０】
記憶部３５は、複数の表示データを格納する。記憶部３５は、１つまたは複数のメモリにより実現される。なお、当該表示データは、ユーザが任意に当該記憶部３５に格納することが可能である。また、ネットワークを介してダウンロードしたデータであっても良い。
【００４１】
表示部３６は、プレビュー制御部３１からの指示に従って情報を表示する。例えば、有機ＥＬあるいは液晶ディスプレイ等である。
【００４２】
操作部３４は、各種操作指示を受け付ける。例えばタッチパネル等である。
無線通信部３３は、無線通信用アンテナ３２を介して所定の通信範囲内の受信機１００と無線通信によりデータの授受を実行する。一例として無線通信部３３は、受信機１００との間で近距離無線によるデータ通信を実行する。また、無線通信部３３は、周辺に配置されている受信機１００に対して探索要求を出力し、受信機１００からの応答に従って通信可能な受信機１００を検知する。また、当該検知において、受信機１００に接続されている表示装置２００に関する情報も取得する。
【００４３】
ネットワーク通信部３７は、ネットワークを介して送信機１０に対して表示データを送信する。
【００４４】
＜プレビュー表示制御処理＞
図３は、プレビュー表示の処理の概要を説明する図である。
【００４５】
図３に示されるように、端末３０において表示装置２００Ａでプレビュー表示する表示データを選択する。本例においては、表示データのサムネイル画像ＤＡ〜ＤＣが表示されている場合が示されている。
【００４６】
そして、本例においては、サムネイル画像ＤＢを選択して、表示装置２００Ａに対して、送信する操作が実行される場合が示されている。
【００４７】
端末３０は、当該操作指示に従って表示装置２００Ａに対してプレビュー表示するための表示データを受信機１００Ａに対して送信する。
【００４８】
受信機１００Ａは、端末３０から送信された表示データに従って表示装置２００Ａにプレビュー表示する。
【００４９】
端末３０と表示装置２００Ａとの表示とでは、表示ディスプレイの種類、大きさ、配置等が全く異なる。したがって、端末３０の表示部３６での表示データの見え方と、表示装置２００Ａの見え方では全く異なる場合がある。
【００５０】
それゆえ、表示装置２００Ａに実際に表示データを表示して、プレビュー表示を確認することは重要である。さらに、照明や太陽光の影響があるため一斉送信前に、その場の雰囲気や状態が判り、適切な表示か否かを当該方式により容易に判断することが可能である。
【００５１】
端末３０と通信可能な近くの表示装置２００Ａにおいて、実際にプレビュー表示した確認結果に基づいて送信機１０においてデジタル放送波信号に重畳して送信することが可能である。端末３０と通信可能な近くの表示装置２００Ａを用いて簡易にプレビュー表示するとともに、例えば遠方にある他の表示装置２００Ｂに対して当該プレビュー表示結果に基づいて簡易に表示データを送信することが可能である。
【００５２】
図４は、本実施形態に基づくプレビュー表示制御処理について説明するフロー図である。当該処理は、端末３０の主にプレビュー制御部３１等における処理である。
【００５３】
図５は、本実施形態に基づくプレビュー表示制御処理における端末３０で表示される画面の一例を説明する図である。
【００５４】
図４に示されるように、まず、プレビュー選択指示があるかどうかを判断する（ステップＳ１）。具体的には、所定画面においてプレビュー選択指示があるかどうかを判断する。所定画面においてプレビュー選択指示が無い場合には、ステップＳ１の状態を維持する。
【００５５】
図５（Ａ）には、表示部３６におけるプレビュー選択指示をする所定画面３０２が示されている。
【００５６】
当該所定画面３０２において、「プレビュー表示しますか」のメッセージが表示されている。また、当該所定画面において、「ＹＥＳ」、「ＮＯ」のアイコンが表示されており、当該「ＹＥＳ」を操作部３４により選択指示した場合に、プレビュー選択指示があったと判断される。
【００５７】
再び図４を参照して、次に、プレビュー選択指示があると判断した場合（ステップＳ１においてＹＥＳ）には、選択画面を表示する（ステップＳ１Ａ）。具体的には、プレビュー制御部３１は、表示部３６に選択画面を表示する。
【００５８】
そして、次に、選択画面において、表示データの選択を受け付ける（ステップＳ２）。具体的には、プレビュー制御部３１は、操作部３４から表示データの選択を受け付ける。
【００５９】
そして、次に、表示装置の選択を受け付ける（ステップＳ３）。具体的には、プレビュー制御部３１は、操作部３４から表示装置の選択を受け付ける。
【００６０】
次に、実行指示があるかどうかを判断する（ステップＳ４）。具体的には、選択画面において選択した表示装置に対して、選択した表示データをプレビュー表示する実行指示があるかどうかを判断する。具体的には、プレビュー制御部３１は、操作部３４を介してプレビュー表示する実行指示が有ったかどうかを判断する。
【００６１】
図５（Ｂ）には、選択画面３０４の一例が示されている。
当該選択画面３０４においては、一例として画面の上段に選択可能な複数の表示装置が表示されている。また、画面の下段に選択可能な複数の表示データが表示されている。
【００６２】
表示データは、記憶部３５に格納されているものである。
複数の表示装置２００は、無線通信部３３が無線通信用アンテナ３２を介して受信機１００の探索要求を送信し、受信機１００からの探索要求に対する応答信号に従って検出された受信機と接続される表示装置の一覧が示されている。なお、当該探索要求は、予め無線通信部３３が行なった結果の情報であっても良いし、あるいは、プレビュー選択指示が有った場合にバックグラウンド処理として実行した結果であっても良い。
【００６３】
なお、探索された結果として送信可能な表示装置が１つの場合には、１つの表示装置が表示され、記憶部３５に格納されている表示データが１つの場合には１つの表示データが表示される。
【００６４】
そして、中央部に矢印が示されており、ユーザは、自己が指定したい表示データを矢印の下に来るように横方向にスライド操作することにより当該表示データの選択が受け付けられる。
【００６５】
また、自己が指定したい表示装置を矢印の上に来るように横方向にスライド操作することにより当該表示装置の選択が受け付けられる。
【００６６】
そして、当該状態において、ユーザが表示データをドラッグして、縦方向の当該表示装置側に移動させる操作を指示することによりプレビュー表示する実行指示があると判断される。
【００６７】
再び図４を参照して、次に、ステップＳ４において実行指示が有ると判断された場合（ステップＳ４においてＹＥＳ）には、受信機に表示データを送信する（ステップＳ５）。具体的には、プレビュー制御部３１は、無線通信部３３により選択された表示データを選択した表示装置２００と接続される受信機１００に送信する。
【００６８】
受信機１００の無線通信部１０５は、当該表示データを無線通信用アンテナ１０３を介して受信する。そして、表示データ作成部１０６で表示データを作成して出力部１０９に出力する。これにより、表示装置２００に指定した表示データが表示される。
【００６９】
次に、受信応答があるかどうかを判断する（ステップＳ６）。具体的には、無線通信部３３は、受信機１００の無線通信部１０５から受信応答を受け付けてプレビュー制御部３１に出力する。プレビュー制御部３１は、当該無線通信部３３からの受信応答を受け付けたかどうかを判断する。
【００７０】
次に、ステップＳ６において、受信応答があると判断した場合（ステップＳ６においてＹＥＳ）には、プレビュー送信選択画面３０６を表示する（ステップＳ７）。具体的には、プレビュー制御部３１は、表示部３６にプレビュー送信選択画面３０６を表示する。
【００７１】
一方、ステップＳ６において、受信応答が無いと判断した場合（ステップＳ６においてＮＯ）には、ステップＳ５に戻り、再び受信機１００に表示データを送信する。
【００７２】
図５（Ｃ）には、プレビュー送信選択画面３０６の一例が示されている。
当該プレビュー送信選択画面３０６には、「送信機に送信」のアイコン３０７、「再編集」のアイコン３０８、「キャンセル」のアイコン３０９がそれぞれ設けられている。
【００７３】
プレビュー送信選択画面３０６において、「送信機に送信」のアイコン３０７を操作部３４により選択指示することにより送信機１０に選択した表示データが送信される。
【００７４】
プレビュー送信選択画面３０６において、「再編集」のアイコン３０８を操作部３４により選択指示することにより再び図５（Ｂ）の選択画面３０４が表示される。
【００７５】
プレビュー送信選択画面３０６において、「キャンセル」のアイコン３０９を操作部３４により選択指示することによりプレビュー表示制御処理を終了する。
【００７６】
再び図４を参照して、次に、送信機の出力の指示が有るかどうかを判断する（ステップＳ８）。具体的には、プレビュー送信選択画面３０６において、プレビュー制御部３１は、「送信機に送信」のアイコン３０７に対する選択指示があったかどうかを判断する。
【００７７】
ステップＳ８において、送信機の出力の指示が有ると判断した場合（ステップＳ８においてＹＥＳ）には、送信機に表示データを送信する（ステップＳ９）。具体的には、プレビュー制御部３１は、ネットワーク通信部３７を介して送信機１０に表示データを送信する。
【００７８】
そして、処理を終了する（エンド）。
一方、ステップＳ８において、送信機の出力の指示が無いと判断した場合（ステップＳ８においてＮＯ）には、次に、再編集の選択指示が有るかどうかを判断する（ステップＳ１０）。具体的には、プレビュー送信選択画面３０６において、プレビュー制御部３１は、「再編集」のアイコン３０８に対する選択指示があったかどうかを判断する。
【００７９】
ステップＳ１０において、再編集の選択指示が有ると判断した場合（ステップＳ１０においてＹＥＳ）には、再び、ステップＳ１Ａに戻り、選択画面３０４を表示する。
【００８０】
ステップＳ１０において、再編集の選択指示が無いと判断した場合（ステップＳ１０においてＮＯ）には、処理を終了する（エンド）。具体的には、プレビュー送信選択画面３０６において、プレビュー制御部３１は、「キャンセル」のアイコン３０９に対する選択指示が有ったかどうかを判断する。
【００８１】
当該処理により、プレビュー表示後、送信機１０に選択的に表示データを送信する。これにより、送信機１０は、当該表示データを受信してデジタル放送波信号に重畳して複数の受信機に送信することが可能である。
【００８２】
そして、デジタル放送波信号を受信した複数の受信機１００は、接続されているそれぞれの表示装置２００に対して表示データを表示することが可能となる。
【００８３】
したがって、複数の受信機１００に対してデジタル放送波信号を送信する前に、少なくとも１つの表示装置２００を用いてプレビュー表示して確認した結果、確認結果が良好の場合には、デジタル放送波信号に重畳して表示データを送信し、確認結果が良好で無いと判断した場合には再編集により送信を一時中断する等の処理が可能であるためユーザの利便性が高い。特にデジタル放送波信号により多数の受信機に送信される可能性があるためプレビュー表示により十分に検証してから配信することにより不適切な表示データを送信することを抑制することが可能である。
【００８４】
（変形例）
上記においては、ＩＳＤＢ−Ｔ方式におけるデジタル放送波信号を無線伝送するデジタル伝送システムについて主に説明したが、特にＩＳＤＢ−Ｔ方式におけるデジタル放送波信号に限られず、例えば、他の放送波信号にも同様に適用可能である。例えば、有線のＩＳＤＢ−Ｃ（ISDB-Cable）方式におけるデジタル放送波信号においても同様に適用可能である。
【００８５】
図６は、本実施形態の変形例に基づく表示システム１＃の構成を示す図である。
図６に示されるように表示システム１＃は、図１の表示システム１と比較して送信機１０を送信機１０＃に置換する点と、送信機１０＃と受信機１００とを有線のケーブル網５０により接続している点とが異なる。当該構成においてデジタル放送波信号は、ケーブル網５０を介して送信機１０＃から受信機１００に伝送される。送信機１０＃は、公知のいわゆるパススルー方式あるいはトランスモジュレーション方式を用いて伝送し、受信機１００は、当該方式で伝送されたデジタル放送波信号を受信する。
【００８６】
なお、ケーブル網５０は、同軸ケーブルを用いてデジタル放送波信号を伝送する。なお、同軸ケーブルに限られず、光ファイバーと、同軸ケーブルとを併用する形式でも良いし、あるいは、光ファイバーのみで伝送しても良いし、光ファイバーと無線とを併用する形式としても良い。
【００８７】
なお、本例においては、ケーブル網５０と接続されている送信ユニット６０も示されており、当該送信ユニット６０は、ケーブル網５０を介して伝送されたデジタル放送波信号を送信アンテナ１２＃を介して出力する。受信機１００は、送信アンテナ１２＃から出力されたデジタル放送波信号を受信する構成としても良い。他の構成については同様である。
【００８８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８９】
１  表示システム、１０  送信機、１２  送信アンテナ、１４  データ作成部、１５  ＴＳ変換部、１６  混合部、１７，３７  ネットワーク通信部、１８  ＯＦＤＭ変調部、３０  端末、３１  プレビュー制御部、３２，１０３  無線通信用アンテナ、３３，１０５  無線通信部、３４  操作部、３５  記憶部、３６  表示部、５０  ケーブル網、６０  送信ユニット、１００，１００Ａ，１００Ｂ  受信機、１０２  受信アンテナ、１０４  ＯＦＤＭ復調部、１０６  表示データ作成部、１０７  データ抽出部、１０９  出力部、２００，２００Ａ，２００Ｂ  表示装置。
【図１】
2015207907.tif 000003
【図２】
2015207907.tif 000004
【図３】
2015207907.tif 000005
【図４】
2015207907.tif 000006
【図５】
2015207907.tif 000007
【図６】
2015207907.tif 000008